(57)【特許請求の範囲】
【請求項１】
PWM制御されるインバータを有するパワーユニットを複数並列接続した並列インバータ装置であって、パワーユニット群制御器から各パワーユニットに対して所定のキャリアを生成するための同一のキャリア同期信号とキャリア傾き信号を送信し、各パワーユニットで受信したキャリア同期信号とキャリア傾き信号に基づいてインバータのキャリア信号を生成する方法において、
前記各パワーユニットにPLL回路を有するキャリア補正部を設け、前記パワーユニット群制御器からの同期信号周期Tの期間でキャリア傾きが一定のパターンで繰り返す傾き信号値を各パワーユニットのPLL回路に送信し、PLL回路において同期信号周期Tとしたとき、T= Tc0×N= Tc１×(N+ΔN)の演算を行って補正分ΔNを求め、補正分ΔNに基づいて、キャリア傾き信号を補正して所定のインバータのキャリア信号とすることを特徴とした並列インバータ装置の制御方法。
ただし、Tc0はパワーユニット群制御器でのクロックパルス周期、Nはパルス数、Tc１はパワーユニットのクロックパルス周期。
【請求項２】
前記パワーユニット群制御器が送信する所定の傾き値を有する前記キャリア傾き信号の送信時に、同期信号周期T内で現在時刻ｔnのキャリア同期信号送信時に、次回時刻ｔn＋1時のキャリア傾き信号値も送信することを特徴とした請求項１記載の並列インバータ装置の制御方法。
【請求項３】
前記同期信号周期Tの期間でキャリア波形を時間的に複数に分割し、
前記同期信号周期Tの区分毎に前記一定のパターンで繰り返すキャリア傾き信号値を区分毎に割り当て、
パワーユニット群制御器から各パワーユニットへ、第１のキャリア波形生成時にキャリア波形の第２の区分用キャリア傾き信号値Bを送信し、第２のキャリア波形生成時にキャリア波形の第３の区分用キャリア傾き信号値Cを送信し、これを前記同期信号周期Tの期間で複数のキャリア波形の振幅区分毎に繰返して送信することを特徴とした請求項１又は２記載の並列インバータ装置の制御方法。
【請求項４】
前記パワーユニットにおいて、前記パワーユニット群制御器からのキャリア同期信号と当該パワーユニット内で使用されるクロックパルス周期によるキャリアに差異が生じたとき、前記補正分ΔNのクロックパルスをカウントしてカウント数に対応する時間補正を行い、次いで補正分ΔNに対応するキャリア傾き信号の補正を行うことを特徴とした請求項１乃至３の何れか１項に記載の並列インバータ装置の制御方法。
【発明の詳細な説明】
【技術分野】
【０００１】
本発明は、並列インバータ装置の制御方法に係わり、特に並列インバータ装置のキャリア同期制御方法に関するものである。
【背景技術】
【０００２】
PWM制御されるインバータを有するパワーユニットを複数並列接続して運転する並列インバータ装置においては、各パワーユニットの三角波キャリア信号の位相を同期させる必要があり、同期方法としては特許文献１等が公知になっている。図５は特許文献１に記載されたキャリア信号生成の基本構成を示したものである。１（１ａ，１ｂ，１ｃ）はパワーユニットで、各パワーユニットは直流回路の正負極間に並列に接続され、直流を交流に変換して負荷に対しＵ，Ｖ，Ｗ相の交流を出力する。
【０００３】
２は三角波キャリア波形を生成するパワーユニット群制御器で、図示省略されているが、パワーユニット１ａ，１ｂ，１ｃのキャリア基準となるキャリア生成回路と、各パワーユニット１ａ，１ｂ，１ｃに対してキャリア傾き信号θsを送信する送信回路、およびキャリア同期信号Csを送信する送信回路を有している。また、パワーユニット１ａ，１ｂ，１ｃに対してキャリア同期信号Csを同時刻に、一斉に送信する機能を有している。各パワーユニットでは、パワーユニット群制御器２からのキャリア傾き信号θsとキャリア同期信号Csを受信し、各信号に対応してそれぞれが内部でキャリア波形Cwを生成する。
【０００４】
特許文献１では、パワーユニット群制御器２が送信したキャリア傾き信号θsに基づいて各パワーユニットでそれぞれキャリア信号を生成し、各パワーユニット内で生成されるキャリア周期を略同一にすることが記載され、これにより各パワーユニット間での横流を防止している。
【先行技術文献】
【特許文献】
【０００５】
【特許文献１】特開２０１４−１８３６００
【発明の概要】
【発明が解決しようとする課題】
【０００６】
特許文献１では、各パワーユニット内でクロックパルスをベースに傾き信号θsからキャリア波形Cwを生成しているが、各パワーユニット内でのクロックパルスの周期は微小ではあるが異なる。例えば、パワーユニット群制御器２のクロックパルス幅が1μsで、パワーユニット1ａ，1ｂ，１ｃのクロックパルス幅がそれぞれ1.01μs，1.00μs，0.99μsである場合、各パワーユニットで再生するキャリア波形には時間的な波形のずれが生じる。
【０００７】
図６はキャリアの傾斜を調整しつつ振幅を一定とするための説明図である。キャリア振幅を一定にするため傾き信号θsの傾きが小さいときには、各パワーユニット内でクロック毎のキャリア生成回路カウンタの加算・減算量を小さくし、傾きが大きいときには、クロック毎のキャリア生成回路カウンタの加算・減算量を大きくすることでキャリアの傾斜を調整しつつ振幅を一定にしている。
【０００８】
ここで、パワーユニット群制御器２のクロックパルス周期をTc0とすると、同期信号周期TはTc0×N（所定のパルス数）となる。i〜iv区間の繰返し波形をキャリア波形（振幅を０〜１）とする。また、この区間の始まりでキャリア同期信号Csも受信し、区間i〜ivでの傾き信号θsの値（１クロックパルスに対するキャリア振幅の増加領）をΔθ1〜4とする。
【０００９】
図６において、キャリア同期信号Csを受け取った iの区間（１回当たりの加算量が小さい区間）の始まりでクロックパルスの周期毎にΔθ1加算して振幅１になったときiiの区間に入り、クロックパルスの周期毎にΔθ2減算して振幅０になったときiiiの区間に入る。１回当たりの加算量の大きい区間であるiiiではΔθ3を加算し、区間ivではΔθ4を減算して振幅０になったとき１回の繰返し分が生成できる。この時のパワーユニット群制御器２の区間i〜ivの周期時間はTc×Nである。各パワーユニット内でのクロックパルスの周期もTcであれば同一の波形が生成される。
【００１０】
しかし、各パワーユニット内でのクロックパルスの周期は微小ではあるが異なることから、各パワーユニットで再生するキャリア波形Cwは時間的に波形のずれが生じ、場合によってはキャリア位相が跳躍してインバータ出力に差異が生じて不要な横流が発生する可能性がある。
【００１１】
本発明が目的とするところは、各パワーユニットで再生するキャリア波形の補正を行う並列インバータ装置の制御方法を提供することにある。
【課題を解決するための手段】
【００１２】
本発明は、PWM制御されるインバータを有するパワーユニットを複数並列接続した並列インバータ装置であって、パワーユニット群制御器から各パワーユニットに対して所定のキャリアを生成するための同一のキャリア同期信号とキャリア傾き信号を送信し、各パワーユニットで受信したキャリア同期信号とキャリア傾き信号に基づいてインバータのキャリア信号を生成する方法において、
各パワーユニットにPLL回路を有するキャリア補正部を設け、前記パワーユニット群制御器からの同期信号周期Tの期間でキャリア傾きが一定のパターンで繰り返す傾き信号値を各パワーユニットのPLL回路に送信し、PLL回路において同期信号周期Tとしたとき、T= Tc0×N= Tc１×(N+ΔN)の演算を行って補正分ΔNを求め、補正分ΔNに基づいて、キャリア傾き信号を補正して所定のインバータのキャリア信号とする。
ただし、Tc0はパワーユニット群制御器でのクロックパルス周期、Nはパルス数、Tc１はパワーユニットのクロックパルス周期。
また、本発明は、前記パワーユニット群制御器が送信する所定の傾き値を有する前記キャリア傾き信号の送信時に、同期信号周期T内で現在時刻ｔnのキャリア同期信号送信時に、次回時刻ｔn＋1時のキャリア傾き信号値も送信する。
【００１３】
また、本発明では、同期信号周期Tの期間でキャリア波形を時間的に複数に分割し、前記同期信号周期Tの区分毎に前記一定のパターンで繰り返すキャリア傾き信号値を割り当て、パワーユニット群制御器から各パワーユニットへ、第１のキャリア波形の生成時にキャリア波形の第２の区分用キャリア傾き信号値Bを送信し、第２のキャリア波形の生成時にキャリア波形の第３の区分用キャリア傾き信号値Cを送信し、これを前記同期信号周期Tの期間で複数のキャリア波形の振幅区分毎に繰返して送信する。
【００１４】
更に、本発明は、パワーユニットにおいて、前記パワーユニット群制御器からのキャリア同期信号と当該パワーユニット内で使用されるクロックパルス周期によるキャリアに差異が生じたとき、前記補正分ΔNのクロックパルスをカウントしてカウント数に対応する時間補正を行い、次いで補正分ΔNに対応するキャリア傾き信号の補正を行う。
【発明の効果】
【００１５】
以上のとおり、本発明によれば、各パワーユニットにおいて、パワーユニット群制御器からのキャリア同期信号と当該パワーユニット内で使用されるクロックパルス周期によるキャリアの差異を常時監視し、差異（補正分）ΔNが発生したとき直ちにキャリア傾きが補正される。これにより、キャリア位相の跳躍が防止され、また、補正による中心キャリア周波数はインバータ装置の運転中に変更される。
【図面の簡単な説明】
【００１６】
【図１】本発明の実施形態を示す構成図。
【図２】キャリア傾き信号の送信説明図。
【図３】キャリア補正の波形図。
【図４】キャリア補正の波形図。
【図５】従来の並列インバータ装置の概略構成図。
【図６】キャリア補正の波形図。
【発明を実施するための形態】
【００１７】
図１は本発明の構成図を示したもので、図５と同一部分、若しくは相当する部分に同一符号を付してその説明を省略する。すなわち、本発明はパワーユニット1ａ，1ｂ，１ｃにそれぞれキャリア補正部１０を設けたものである。キャリア補正部１０は、パワーユニット群制御器２からのキャリア傾き信号θsを入力してキャリア波形を生成するキャリア生成回路１１と、パワーユニット群制御器２からの同期信号Csを入力してPLL制御するPLL回路１２を有している。キャリア補正部１０では、PLL回路１２で同期信号を補正すると共に、得られた補正値ΔNをキャリア生成回路１１に入力し、補正値ΔNに基づいてキャリアの傾きも補正して補正されたキャリア波形Cwを出力する。
【００１８】
図２は、パワーユニット1ａ，1ｂ，１ｃの各キャリア補正部１０でキャリア波形を補正するときの傾き信号の送信状態を示したものである。なお、図２ではパワーユニット群制御器２とパワーユニット１でのクロックパルス周期が同一として示している。ここでは、キャリアの傾き値を一定サイクルでパターン化して同期信号周期Tの期間で繰り返して使用し、且つキャリア変調の仕方をA→B→C→Dのように一定のパターンに従って行う。これにより、傾きA〜D間の周期Tを一定とし、キャリアはこの周期Tの繰返しとしている。
【００１９】
キャリア傾き信号θsの値A〜Dは一義的に決めるものではなく、電磁音などの騒音から適宜決定される。例えば、傾き比率としてA=1、B=-0.9、C=1.1、D=-1.2として設定する。パワーユニット１では、パワーユニット群制御器２から送信されるキャリア同期信号Csを時刻ｔ1で受信するが、これと同時に区間iiで使用する傾き信号のBも受信する。以後同様に、時刻ｔ２では区間iiiで使用するCを受信し、時刻ｔ３では区間ivで使用するDを受信する。また、時刻ｔ4では、次の周期Tの区間iに使用するAを受信する。
【００２０】
キャリア波形はゼロから所定の振幅値の間で、パワーユニット群制御器２からのキャリア傾き信号θsに基づいて上昇・下降をする。なお、図２においてキャリア波形の頂点と同期信号が一致しているのは、パワーユニット群制御器２でのクロックパルス周期Tc0とパワーユニット１のクロックパルス周期Tc1が同一であることに基づくもので、クロックパルスの周期が異なると、図３の破線で示す波形のように同期信号受信時刻と頂点の時刻に差が生じる。
【００２１】
（１）．キャリア補正部１０でキャリアを一致させることについて
各パワーユニット１のキャリア補正部１０にはPLL回路１２を備え、受信した同期信号Csと同一位相となるよう安定した基準信号を生成し、各パワーユニット１の位相を一致させている。パワーユニット群制御器２の同期信号周期T= Tc0×Nより（ただし、Tc0はパワーユニット群制御器２のクロックパルス周期、Nはパルス数）、PLL回路１２によりT= Tc0×N= Tc１×(N+ΔN)の演算を行って補正分のΔNを求める（ただし、Tc１はパワーユニット１のクロックパルス周期）。
【００２２】
（２）．キャリアにずれが生じたときの制御方法について
パワーユニット1ａ，1ｂ，１ｃのうち、何れかのパワーユニットにおいて、パワーユニット群制御器２から受信するキャリア同期信号Csと、当該パワーユニット内で使用されるクロックパルス周期の差異によりキャリアにずれが生じたときには、下記の何れかの補正を行う。パワーユニット群制御器２が送信する同期信号周期T(= Tc0×N)に対し、パワーユニット１のPLL回路１２により、T= Tc0×N= Tc１×(N+ΔN)からΔNを演算する。このことで、先々の同期信号がいつ来るかを推定することができる。
【００２３】
図３において、キャリアの振幅を０〜１とし、時刻ｔ1〜ｔ11間で破線の波形が要求される例である。このパターンは“パワーユニット群制御器２のクロックパルス周期＞パワーユニット１のクロックパルス周期”のときである。同期信号周期Tは、パワーユニット群制御器２のクロックパルスでNパルス、パワーユニット１のクロックパルスではN+ΔNパルスで同一時間となる。また、傾き値A〜Dでの各区間でのパルス数をそれぞれNA,NB,NC,NDとすると、
N= NA+NB+NC+ND+ΔNの関係がある。この例では、パワーユニットのクロックパルス数のカッコ内で記載したように、同期信号周期Tでのパルス数を、パワーユニット群制御器２のパルス数を２２０、パワーユニット１のパルス数を２４０としている。
【００２４】
パワーユニット１では、常時N+ΔNは演算している。同期信号周期T1の時刻ｔ5付近で同期信号Csがないことで、次の同期信号が来る時刻ｔ11まで位相（頂点）のずれΔNをカウントする。演算開始は時刻ｔ11から始まるが、時刻ｔ5の時点ではどのように補正するかは不明であるため、同期信号周期T2では同期信号周期T1の傾き値A〜Dを用いて演算し、時刻ｔ6から補正の傾きを生成して次の同期信号周期T3の時刻ｔ6〜ｔ13の間に補正する。これにより、時刻ｔ13以降は安定な状態となる。
【００２５】
時刻ｔ5とｔ11の間はΔN（２０パルス）の差であり、時刻ｔ6から時刻ｔ12の間は２ΔN（４０パルス）の差が生じ、第１にこの時間的な補正をする。同期信号周期Tはi〜ivの４区分（区間）であることから、時刻ｔ6から時刻ｔ12の差２ΔNを４等分してこれを各区間に加算する。これによって、時刻ｔ13で頂点を確保することができる。具体的には、傾き値A区間のパルス数をNA＋（ΔN／2）とする。他の傾き値B〜Dも同様である。
【００２６】
時間的な補正と共に、傾き信号θsを補正する。時刻ｔ1〜ｔ2の傾きは1／NAであるが、パルス数を増やして時間を延ばした分追加する。その追加した傾きは1÷｛NA＋（ΔN／2）｝とする必要がある。他の区間も同様である。
時刻ｔ1〜ｔ5（ｔ5〜ｔ6も同じ）と時刻ｔ6〜ｔ13の様子を示したものが表１で、また、時刻ｔ13以降を示したものが表２である。
【００２７】
【表１】
0006717047.tif 000002
【００２８】
【表２】
0006717047.tif 000003
【００２９】
表２の状態でクロックパルス周期に変動がなければ、上記状態で安定に動作を継続する。なお、時刻ｔ6〜ｔ1２の差2ΔNを上述では４等分としたが、各区間i〜ivのパルス数に比例分配した調整パルス数を設定してもよい。
【００３０】
図４は、図３とは逆にキャリア頂点が受信時刻より早い場合の例である。キャリア頂点が受信時刻より早い場合には、実線で示される波形が要求される。破線で示す波形は、クロックパルス周期が長いために要求通りの波形ができなかったもので、その際の演算方法としては、時間差ｔから減算すべきパルス数を減算して上記と同様に演算すればよい。
【符号の説明】
【００３１】
１…  パワーユニット
２…  パワーユニット群制御器
１０…  キャリア補正部
１１…  キャリア生成回路
１２…  PLL回路
θs…  キャリア傾き信号
Cs…  キャリア同期信号
Cw…  キャリア波形
【図１】
0006717047.tif 000004
【図２】
0006717047.tif 000005
【図３】
0006717047.tif 000006
【図４】
0006717047.tif 000007
【図５】
0006717047.tif 000008
【図６】
0006717047.tif 000009